【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する可変表示部を備え、該可変表示部に特定表示結果が導出表示されたときに特定遊技状態に移行させるとともに、入賞領域に遊技媒体が入賞したことにもとづいて景品として景品遊技媒体を払い出す遊技機であって、
所定の入賞領域に遊技媒体が入賞可能な開状態と該所定の入賞領域に遊技媒体が入賞不能な閉状態とに変化可能な可変入賞装置と、
前記所定の入賞領域に遊技媒体が入賞したことを検出して入賞検出信号を出力する入賞検出手段と、
前記入賞検出手段からの入賞検出信号が入力され、遊技の進行を制御する遊技制御処理を実行し、遊技機に設けられている演出用の電気部品を制御させるための演出制御コマンドを送信する遊技制御手段と、
前記遊技制御手段が送信した前記演出制御コマンドに応じて演出用の電気部品を制御する演出制御処理を実行する演出制御手段とを備え、
前記遊技制御手段は、
前記入賞検出信号の入力に応じて、前記所定の入賞領域に遊技媒体が入賞したことを検出した旨を示す入賞検出コマンドを前記演出制御コマンドとして前記演出制御手段に送信する入賞検出コマンド送信手段と、
前記可変表示部の識別情報の可変表示の表示結果を前記特定表示結果にするか否かを決定する事前決定手段と、
前記事前決定手段によって前記可変表示の表示結果を前記特定表示結果にすると決定されたときに、遊技状態を前記特定遊技状態に移行する遊技状態移行手段と、
前記遊技状態移行手段によって遊技状態が前記特定遊技状態に移行されているときに、前記可変入賞装置を開閉する可変入賞装置開閉手段とを含み、
前記演出制御手段は、
前記事前決定手段の決定結果にもとづいて、前記可変表示部の識別情報の可変表示を実行し、前記可変表示部に表示結果を導出表示する可変表示実行手段と、
遊技状態が前記特定遊技状態に移行されていないときに前記入賞検出コマンドを受信すると、前記入賞領域への遊技媒体の入賞状態に異常が発生したことを示す異常報知を実行する異常報知手段とを含み、
前記異常報知手段は、前記可変表示実行手段によって前記可変表示部の識別情報の可変表示が実行されているときであっても、前記異常報知の実行時間である異常報知実行時間を経過するまで前記異常報知を継続する
ことを特徴とする遊技機。
【請求項２】
演出制御手段は、
遊技制御手段からの入賞検出コマンドの受信回数を計数する受信回数計数手段と、
遊技状態が特定遊技状態に移行されているときに、前記受信回数計数手段が計数した前記入賞検出コマンドの受信回数を、入賞領域への遊技媒体の入賞回数として表示する入賞回数表示手段とを含む
請求項１記載の遊技機。
【請求項３】
演出制御手段は、
演出制御処理の進行状態を示す演出進行データの値に従って、前記演出制御処理を実行し、
前記演出制御処理の進行状態に応じて、前記演出進行データの値を設定する演出進行データ設定手段と、
入賞検出コマンドを受信したときに、前記演出進行データ設定手段によって設定された前記演出進行データの値にもとづいて、遊技状態移行手段によって遊技状態が特定遊技状態に移行されているか否かを判定する遊技状態判定手段とを含み、
異常報知手段は、前記遊技状態判定手段によって遊技状態が前記特定遊技状態に移行されていないと判定されたときに異常報知を実行する
請求項１または請求項２記載の遊技機。
【請求項４】
演出進行データ設定手段は、特定遊技状態に対応する遊技演出を実行していないときには演出進行データに所定値より小さい値を設定し、前記特定遊技状態に対応する遊技演出を実行しているときには前記演出進行データに所定値以上の値を設定し、
遊技状態判定手段は、前記演出進行データ設定手段によって設定された前記演出進行データの値が所定値以上であるか否かを判定することによって、遊技状態移行手段によって遊技状態が前記特定遊技状態に移行されているか否かを判定する
請求項３記載の遊技機。
【請求項５】
遊技制御手段は、
遊技の進行状態を示すデータを記憶する遊技制御用記憶手段と、
前記遊技制御用記憶手段の記憶内容を初期化する初期化手段と、
前記初期化手段により初期化処理が行われたときに、その旨を報知させるための初期化コマンドを演出制御コマンドとして演出制御手段に送信する初期化コマンド送信手段とを含み、
前記演出制御手段は、前記初期化コマンドを受信したことに応じて、演出用の電気部品を制御して前記初期化手段により初期化処理が行われた旨を示す初期化報知を実行する初期化報知手段を含み、
前記初期化報知手段は、異常報知手段による異常報知に優先して前記初期化報知を実行する
請求項１から請求項４のうちのいずれかに記載の遊技機。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
請求項３記載の発明によれば、演出制御手段が、入賞検出コマンドを受信したときに、演出進行データ設定手段によって設定された演出進行データの値にもとづいて、遊技状態移行手段によって遊技状態が特定遊技状態に移行されているか否かを判定する遊技状態判定手段を含み、異常報知手段が、遊技状態判定手段によって遊技状態が特定遊技状態に移行されていないと判定されたときに異常報知を実行するように構成されているので、演出進行データの値を確認するだけで、遊技状態が特定遊技状態に移行されているか否かを判定することができる。従って、遊技状態が特定遊技状態に移行されているか否かを簡便な処理によって判定することができる。
【手続補正７】
【補正対象書類名】明細書
【補正対象項目名】００２１
【補正方法】変更
【補正の内容】
【００２１】
請求項４記載の発明によれば、演出進行データ設定手段が、特定遊技状態に対応する遊技演出を実行していないときには演出進行データに所定値より小さい値を設定し、特定遊技状態に対応する遊技演出を実行しているときには演出進行データに所定値以上の値を設定し、遊技状態判定手段が、演出進行データ設定手段によって設定された演出進行データの値が所定値以上であるか否かを判定することによって、遊技状態移行手段によって遊技状態が特定遊技状態に移行されているか否かを判定するように構成されているので、移行される特定遊技状態の種類に応じて演出制御処理において異なる処理が行われる場合や、特定遊技状態移行後の状態に応じて演出制御処理において異なる処理が行われる場合であっても、遊技状態が特定遊技状態に移行されているか否かを簡便な処理によって判定することができる。
【手続補正８】
【補正対象書類名】明細書
【補正対象項目名】００２２
【補正方法】変更
【補正の内容】
【００２２】
請求項５記載の発明によれば、初期化報知手段が、異常報知手段による異常報知に優先して初期化報知を実行するように構成されているので、入賞領域への遊技媒体の異常入賞を検出した場合であっても、確実に初期化報知を行うことができる。